(57)【要約】      （修正有）【課題】内外の圧力のバランスを保つことで、浸水及び人体が感電するのを防止する等圧防水電器コントロール装置を提供する。【解決手段】等圧防水電器コントロール装置及び、該装置を応用するエステ機器である。該装置は構造がシンプル且つ有効的に水圧の上昇により浸水を防止する等圧防水構造である。該装置に収納体２、防水ボタン２２、電器コントロールユニット２４、防水薄膜２５、固定枠２６を含み、防水薄膜２５は応変凸部２５１を含む。応変凸部２５１は水圧が変化する際、同時に収納空間の大小及び内部の気圧を変えることで、収納空間及び外部の水圧のバランスを保ち、有効的に外部の水が収納空間に浸入するのを防ぐ。それをエステ機器に使用する際、全体構造をシンプル化し、使用寿命を延ばし、コストを下げることができる。【選択図】図４
0003144785.tif 000002
【実用新案登録請求の範囲】
【請求項１】
収納体、防水ボタン、電器コントロールユニット、防水薄膜、固定枠を含み、
該収納体は開口及び少なくとも一つの穴を含み、該穴は該収納体の底面に設置し、及び、
防水ボタンを該穴と結合し、及び、
電器コントロールユニットは該収納体内の防水ボタンと結合し、及び、
防水薄膜は応変凸部を含み、該薄膜は上述収納体に対応する開口の外形を具有し、該収納体を結合し、該開口を密閉して防水し、及び、
固定枠は少なくとも一つの穴を含み、該穴に該応変凸部を嵌合し、該固定枠は該防水薄膜を収納体の開口に固定し、及び、
本考案は水中に置いても外部の水圧変化に基づき、上述の防水薄膜の応変凸部を往復移動し、該収納体内部空間を変え、該収納体内部気圧と水圧を等圧にすることで、ベストな防水効果に達し、及び前述の防水ボタンは該電器コントロールユニットを操作できることを特徴とする等圧防水電器コントロール装置の構造。
【請求項２】
少なくとも一つの偏心モーターを結合することを特徴とする請求項1記載の等圧防水電器コントロール装置の構造。
【請求項３】
前記防水薄膜は弾性材料で作られることを特徴とする請求項1記載の等圧防水電器コントロール装置の構造。
【請求項４】
該弾性材料はシリコン、ゴム、プラスティックのいずれかの材料であることを特徴とする請求項3記載の等圧防水電器コントロール装置の構造。
【請求項５】
前記穴は計3つあり、防水ボタンは計3つあることを特徴とする請求項1記載の等圧防水電器コントロール装置の構造。
【請求項６】
前記応変凸部は更に少なくとも一つの伸縮彎曲部を具有することを特徴とする請求項1記載の等圧防水電器コントロール装置の構造。
【請求項７】
更に少なくとも一つの防水電源ジョイントを含むことを特徴とする請求項1記載の等圧防水電器コントロール装置の構造。
【請求項８】
前記固定枠或いは防水薄膜は更に複数の固定穴を含み、及び収納体は更に上縁に複数のネジ穴を設け、更に少なくとも一つの防水電源ジョイントを設けることを特徴とする請求項1記載の等圧防水電器コントロール装置の構造。
【請求項９】
第一殻体、第二殻体を含み、
第一殻体の内側に水吸い上げポンプ及び外側にジェット装置を設け、該ジェット装置は該水吸い上げポンプに結合し、及び、
第二殻体は少なくとも一つの穴を含み、該第二殻体及び第一殻体を結合し、エステ機器を形成し、及び、
該等圧防水電器コントロール装置は電器供給の防水電源導線及び、前記第一殻体の外側に突出して防水ボタンを設置することを特徴とする請求項1を応用する等圧防水電器コントロール装置のエステ機器の構造。
【請求項１０】
前記第二殻体は更に少なくとも一つの吸盤を結合することを特徴とする請求項9記載の、請求項1を応用する等圧防水電器コントロール装置のエステ機器の構造。
【請求項１１】
前記第一殻体の外側に少なくとも一つのマッサージ凸ブロックを結合し、偏心モーターと合わせて振動マッサージをすることを特徴とする請求項9記載の、請求項1を応用する等圧防水電器コントロール装置のエステ機器の構造。
【考案の詳細な説明】
【技術分野】
【０００１】
本考案は等圧防水電器コントロール装置、及び該装置を応用するエステ機器の構造に関する。
【背景技術】
【０００２】
近年人々は仕事及び生活のストレスにさらされ、常に緊迫した生活を過ごしている。長い間そうした生活を過ごすと、多くの人がうつ病など心の病に罹ってしまう。よって、毎日少しでもリラックスできる時間があれば、多くの心の問題を解決できると分かってきた。毎日のリラックス方法とは、人によって異なり、運動する人や、マッサージをする人、お風呂や足湯をする人など、それぞれの時間や好みで選ばれることが多い。
【０００３】
お風呂或いは足湯を例に挙げると、人は適温の風呂に浸かると、熱気で体内の汗を排出することで、リラックスの効果に達する。お風呂だけでも効果はあるが、近年バスタブの中に気泡を出す機械や、ジェットヘッド或いは振動器などのエステ装置を付けることで、強い気泡や強力な水流或いは振動などのマッサージ効果が生まれ、簡易的なホームエステ装置を形成する。
【０００４】
お風呂の水をかき混ぜる装置など類似の水中装置は、通常電力で動かしている。長時間水の中に浸かるので、感電のアクシデントと、装置が浸水により損害する状況を避けるためにも、防水構造にし、水が装置の電器コントロールユニット或いは其の他の防水が必要な部品に入り込ませないことが必要である。しかし、前述の装置を水中に入れると、内部の容積が変わらないため、装置の内部圧力も変化しない。水深が深くなればなるほど水圧が大きくなるため、装置内部の水圧が外部の水圧より低くなると、水が装置の隙間から浸水し、装置内部の電気コントロールユニット或いは其の他の電器部品の損害を引き起こし、また、漏電によりアクシデントが起こることがある。O字型リングなど類似の密閉部品を使って防水するが、比較的大きな緊迫力を持って、圧力が変化する環境を克服する必要があるため、装置の体積を大きくし、構造の強度を増す必要性が出てくるため、全体の製作及び組み立てコストも増える。更に尚も隙間があるため、いずれは浸水の問題が発生する。特にこの類の導線或いはコントロールボタンなどの部品が装置の内外を貫通するものに関しては、特に浸水しやすい。また、現有のエステ装置では、水圧の変化により浸水するため更なる改善が必要であった。
【特許文献１】登録実用新案第３１１１６５４号公報
【考案の開示】
【考案が解決しようとする課題】
【０００５】
前記従来技術の欠点を解決するため、本考案は内外の圧力のバランスを保つことで、浸水及び人体が感電するのを防止する等圧防水電器コントロール装置を提供することを主な課題とする。
また、本考案は応用として、リモコンやジョイント、スイッチ、動力源など、様々な電器を防水装置に、電器の使用寿命を延長する等圧防水電器コントロール装置のエステ機器を提供することをもう一つの課題とする。
【課題を解決するための手段】
【０００６】
上述の目的を解決するために、本考案は等圧防水電器コントロール装置の構造を提供するものであり、主に収納体、防水ボタン、電器コントロールユニット、防水薄膜、固定枠を含む。該防水薄膜は応変凸部を含み、該応変凸部は水圧に変化があるとき、同時に収納空間の大小及び内部気圧を変えることで、収納空間と外部の水圧とのバランスを保つため、有効的に外部の水が収納空間内に浸入するのを防ぐ。また、エステ機器或いは各種の水中装置に用いる際、全体の構造をシンプル化することができ、使用寿命を延長し、コストを下げることができる。
【０００７】
従来技術の防水容器は防水材料で容器の縁を覆うのみに留まる。本考案の等圧防水電器コントロール装置は、物理の平圧原理を利用し、防水構造を改良することで、有効的に防水する。
【考案の効果】
【０００８】
本考案を水中に置いても、外部の水が収納空間の内部に浸入、及び感電或いは損害の現象を有効的に避けることができ、更に使用上の安全性が増し、使用寿命を延長することができるため、付加価値が増し、経済効果がアップする。
【考案を実施するための最良の形態】
【０００９】
本考案は水中に浸かることができる等圧防水電器コントロール装置及びそれをエステ機器に応用することができる。図１、図２及び図３に示すように、該エステ機器(10)は水流をかき混ぜるジェット、気泡、振動などの装置に用いることができる。第一殻体(11)、第二殻体(15)を含み、該第一殻体(11)の内側に水吸い上げポンプ及び外側にジェット装置(14)を設ける。該ジェット装置(14)は該水吸い上げポンプ(13)と結合している。該第二殻体(15)は少なくとも一つの穴(16)及び防水導線(17)を含み、該第二殻体(15)と第一殻体(11)を結合することで、エステ機器(10)を形成する。
【００１０】
本考案の最良実施例の詳細構成は、図１、図２及び図３に示すように、該第一殻体(11)の外側面に一つ或いは多数のマッサージ凸ブロック(12)を設け、第一殻体(11)は第二殻体(15)と対応する内面に一つの水源を吸い上げる吸い上げポンプ(13)を具有する。また、第一殻体(11)の外側に該吸い上げポンプ(13)と連接するジェット装置(14)を設け、該ジェット装置(14)は外側に強力水流を噴射し、人体にマッサージを行う。更に第二殻体(15)にシリーズ穴(16)を形成し、外部の水源が吸い上げポンプ(13)によって吸い入れられる。また、第二殻体(15)の外側に少なくとも一つの吸盤(18)を設けることで、エステ機器(10)がバスタブの内側底面に吸着する。
【００１１】
図４、図５及び図６に示すように、等圧防水電器コントロール装置(20)は収納体(21)、防水ボタン(22)、電器コントロールユニット(24)、防水薄膜(25)、固定枠(26)を含む。該収納体(21)は開口(211)及び少なくとも一つの穴(213)を含み、該穴(213)は該収納体(21)の底側に設ける。該防水ボタン(22)は穴(213)と結合する。該電器コントロールユニット(24)は該収納体(21)内の防水ボタン(22)と結合する。該防水薄膜(25)は応変凸部(251)を含み、該防水薄膜(25)は上述の収納体(21)の開口(211)と対応する外形を具有し、該収納体(21)を結合することで、該開口(211)を密閉して防水する。該固定枠(26)は少なくとも一つの透視窓(260)を含み、該透視窓(260)は該応変凸部(251)と嵌合し、該固定枠(26)は防水薄膜(25)を収納体(21)の開口(211)に固定することで、等圧防水電器コントロール装置(20)の組み立てを完成する（図７）。
【００１２】
本考案を水中に置いた場合、外部の水圧の変化に基づき、上述の防水薄膜(25)の応変凸部(251)を往復移動することで、該収納体(21)の内部空間を変えることができる。それにより、該収納体(21)内部の気圧と水圧を等圧になるため、ベストな防水効果に達する。及び防水ボタン(22)により、該電器コントロールユニット(24)をコントロールする。
【００１３】
前述の等圧防水電器コントロール装置(20)は更に収納体(21)の中に設置する偏心モーター(23)を結合し、防水電源コードと電気接続し、振動マッサージ効果が生まれ、前述のマッサージ凸ブロック(12)を通じてユーザーに振動が伝わる。
【００１４】
また、前述の防水薄膜(25)は変形可能且つ原状に戻る弾性的な材料で作られている。ベストな材料はシリコーン、ゴム、プラスティックなど一種の材料である。
【００１５】
前記収納体(21)の穴(213)は少なくとも一つの穴(19)であり、本考案は計3つの穴及び前述の少なくとも一つの防水ボタン(22)を具有する。本考案の実施例では計3つのボタンがあり、該3つの穴と合わせて固定する。
【００１６】
該等圧防水電気コントロール装置(20)の防水ボタン(22)用に、第一殻体(11)は少なくとも一つの穴を残し、防水ボタン(22)を第一殻体(11)の外側に設置することで、該防水ボタン(22)は電気コントロールユニット(24)に対応して操作することができる。
【００１７】
前記応変凸部(251)の周囲に少なくとも一つの伸縮彎曲部(2511)を具有し、該伸縮彎曲部(2511)により、該応変凸部(251)が水圧を受けて内側に縮む、或いは水から出した際、該応変凸部(251)は元の形に戻る。応変凸部(251)の変形量と回復力の敏感度を増加することで、本考案の水圧及び平圧のいずれもベストな効果が発揮できる（図５）（図６）。
【００１８】
内部の気圧が外部の水圧とバランスの取れる収納体を構成することで、防水効果に達する等圧防水電気コントロール装置(20)の構造及び、それをエステ機器(10)に応用する。該エステ機器及び該等圧防水電気コントロール装置(20)は防水電源導線(17)を結合し、水中に電源を提供する。
【００１９】
本考案を実際使用する際、図３〜図６に示すように、該エステ機器(10)は吸盤(18)を使ってバスタブ内の底面に吸着する。バスタブに水を注ぎ、水量が多くなればなるほど、バスタブ内の水圧も大きくなり、エステ機器(10)内の等圧防水電気コントロール装置(20)の受ける水圧も次第に大きくなる。その時水圧は防水薄膜(25)の応変凸部(251)を圧縮することで、該伸縮彎曲部(2511)も縮み、それにつれ該収納体(21)内部空間も縮小し、内部気圧が外部の水圧と同時に上昇するため、等圧防水電気コントロール装置(20)内部の気圧と外部の環境圧力とのバランスを保ち、有効的に水が浸入するのを防ぎ、内部の電気コントロールユニット(24)或いは設置する様々な電器設備を守り、感電或いは損害するのを防止する。該等圧防水電器コントロール装置(20)の防水薄膜(25)に水圧がかからなくなれば、次第にまた原状に戻り、圧力も元に戻る。
【００２０】
本考案は内部の気圧及び外部の水圧のバランスを保つことで、大幅に防水効果を上げ、水が浸入するのを有効的に防ぐ。よって、従来技術の比較的大きいO型リング及び緊迫力で水の浸水問題を克服する。浸水しにくいため、感電のアクシデントを避けると同時に、使用寿命も延ばすことができる。
【００２１】
収納体(21)上縁に更に複数のネジ穴(215)を設け、前述の防水薄膜(25)の周囲に該ネジ穴(215)に対応して複数の固定穴(253)及び、前述の固定枠(26)周囲に複数の固定穴(261)を設け、ネジを使って該固定穴(261)(253)を通し、ネジ穴（215）を螺合することで、本考案の等圧防水電器コントロール装置を完成する。
【００２２】
収納体は更に少なくとも一つの防水電源ジョイント(217)を結合し、本考案内部の電源供給に使用する。
【００２３】
以上の実施例による本発明の詳細な説明は本発明の範囲を制限するものではない。本考案に熟知する者は、本考案の如何なる形式の修正或いは変更を行っても、本考案の重要な意義は失われず、本考案の範囲に含まれる。
【図面の簡単な説明】
【００２４】
【図１】本考案のエステ機器の外観略図である。
【図２】本考案のエステ機器の別面の外観略図である。
【図３】本考案のエステ機器の、一つの殻体を開けて見える内部配置略図であり、本考案の装置の構成を示す。
【図４】本考案の等圧防水電器コントロール装置の立体分解略図である。本考案の等圧防水電器コントロール装置の構成を示す。
【図５】本考案の等圧防水電器コントロール装置の防水薄膜の圧縮前の平面略図である。
【図６】本考案の等圧防水電器コントロール装置の防水薄膜の圧縮後の平面略図である。
【図７】本考案の等圧防水電器コントロール装置の組み立て略図である。
【符号の説明】
【００２５】
10 エステ機器
11 第一殻体
12 マッサージ凸ブロック
13 水吸い上げポンプ
14 ジェット装置
15 第二殻体
16 穴
17 防水電源導線
18 吸盤
19 穴
20 等圧防水電器コントロール装置
21 収納体
211 開口
212 穴
215 ネジ穴
217  防水電源ジョイント
22 防水ボタン
23 偏心モーター
24 電器コントロールユニット
25 防水薄膜
251応変凸部
253 固定穴
2511伸縮彎曲部
26 固定枠
260 透視窓
261 固定穴
【図１】
0003144785.tif 000003
【図２】
0003144785.tif 000004
【図３】
0003144785.tif 000005
【図４】
0003144785.tif 000006
【図５】
0003144785.tif 000007
【図６】
0003144785.tif 000008
【図７】
0003144785.tif 000009